(57)【特許請求の範囲】
【請求項１】
後部に開口部を有している塵芥収容箱と、
この塵芥収容箱の後方側に連接して設けられているとともに上部を中心として上下に回動可能とされかつ前面壁の一部が前記塵芥収容箱側へ突出している突出部を有している塵芥投入箱と、
前記塵芥投入箱に投入された塵芥を前記塵芥収容箱に積み込む動作を行う積込装置と、
排出板を有し、前記塵芥投入箱を上昇させた状態で前記排出板を車両後方向に移動させることで前記塵芥収容箱内に収容した塵芥を前記開口部から排出する排出装置と、を備えている塵芥収集車において、
前記塵芥投入箱を回動させて、前記塵芥収容箱の前記開口部を開放した状態となる第１上昇位置と、さらにこの第１上昇位置よりも上の位置であって前記突出部が前記開口部の上端よりも上方の位置となる第２上昇位置とに、上昇させる投入箱駆動手段と、
この投入箱駆動手段の上昇及び下降を指令するとともに前記塵芥投入箱の上昇位置を選択する操作手段と、
前記塵芥投入箱の上昇位置を検知する検知手段と、
前記操作手段からの指令に基づいて前記塵芥投入箱を前記第１上昇位置と前記第２上昇位置とに選択的に上昇させるとともに、前記塵芥投入箱が前記第１上昇位置と前記第２上昇位置との間に存在していることを前記検知手段が検知した状態で前記排出板の車両後方向への移動を許容する制御装置と、を備え、
前記制御装置は、前記操作手段の１回目の上昇指令で前記塵芥投入箱を上昇させるとともに前記検知手段による検知に基づいて当該塵芥投入箱を前記第１上昇位置で停止させ、前記操作手段の２回目の上昇指令で前記塵芥投入箱を前記第１上昇位置から前記第２上昇位置へさらに上昇させることを特徴とする塵芥収集車。
【発明の詳細な説明】
【技術分野】
【０００１】
本発明は、塵芥を積み込むことができる塵芥収集車に関する。
【背景技術】
【０００２】
従来知られている塵芥収集車として、後部に開口部を有している塵芥収容箱と、この塵芥収容箱の後方側に連接して設けられている塵芥投入箱と、この塵芥投入箱に投入された塵芥を前記塵芥収容箱に積み込む動作を行う積込装置と、排出板を有しこの排出板を車両後方向に移動させることで塵芥収容箱内に収容した塵芥を前記開口部から排出する排出装置とを備えているものがある。
積込装置は押込板を有し、この押込板を、反転・一次圧縮・二次圧縮・押込を１サイクルとして連続動作させることによって、塵芥投入箱に投入された塵芥を塵芥収容箱に積み込む。前記押込の動作は、押込板を、塵芥投入箱内の底部から塵芥収容箱側へ向かって前方上方に移動させることにより、二次圧縮した塵芥を持ち上げて塵芥収容箱内へ押し込んでいる（例えば、特許文献１参照）。すなわち、積込装置は塵芥投入箱内において押込板を後方下部から前方上方へ斜めに移動させている。さらに、塵芥を塵芥収容箱へ押し込むために、押込の動作の終了時に押込板をできるだけ塵芥収容箱側へ移動させることができるように、押込板のストロークを大きくし、押込板を後方下部から前方上方へ斜めに大きく移動させている。したがって、特許文献１の塵芥収集車では、この押込板の上部と連結されているスライダの上部を導入するための凹部が、塵芥投入箱の前面壁に形成されている。この凹部により、塵芥投入箱の前面壁の一部は塵芥収容箱側へ大きく突出している。
【０００３】
また、塵芥投入箱はその上部を中心として上方に回動可能とされており、これによって塵芥収容箱に対して開閉動作が可能となる。そして、塵芥投入箱が上方へ回動した開放状態で、塵芥収容箱に収容されている塵芥は前記排出装置の排出板によって車両後方へ押され、塵芥収容箱の開口部から外部へ排出される。
従来の塵芥収集車において、この排出の際、塵芥投入箱は、前記突出部が塵芥収容箱の後部の開口部よりも上方の位置となる最上昇位置まで上昇するように動作する。これは、塵芥が段ボールや粗大ゴミなどの硬質ゴミである場合、排出の際にこれらの塵芥が突出部に接触することを防止し、排出が阻害されてしまうのを防ぐためである。さらに、従来の塵芥収集車では、塵芥投入箱が前記最上昇位置に上昇した場合にのみ排出板は後方へ移動可能となるように制御されており、誤作動を防止している。
【０００４】
【特許文献１】特開２００２−２４０９０４号公報
【発明の開示】
【発明が解決しようとする課題】
【０００５】
しかし、従来の塵芥収集車では、塵芥投入箱が最上昇位置に達して始めて排出板が後方へ移動可能となるように制御されているため、塵芥の種類によらず常に塵芥投入箱を最上昇位置まで上昇させる必要がある。しかし、収容されている塵芥が生ゴミなどの軟質ゴミであり、このような塵芥を排出する場合は、塵芥投入箱の前面壁から突出している突出部分に塵芥が接触しても排出が阻害されることはない。それにもかかわらず、従来の塵芥収集車は、常に塵芥投入箱を最上昇位置まで高く上昇させてからしか排出板を動作させることができないため、塵芥投入箱を上昇させる時間が多くかかり、塵芥の排出の作業効率が悪いという問題点を有している。
そこで、本発明はこのような従来の問題点に鑑み、収容した塵芥の排出が塵芥投入箱の前面壁との接触によって阻害されてしまうことを防止できるとともに、排出作業の効率を高めることができる塵芥収集車を提供することを目的とする。
【課題を解決するための手段】
【０００６】
本発明の塵芥収集車は、後部に開口部を有している塵芥収容箱と、この塵芥収容箱の後方側に連接して設けられているとともに上部を中心として上下に回動可能とされかつ前面壁の一部が前記塵芥収容箱側へ突出している突出部を有している塵芥投入箱と、前記塵芥投入箱に投入された塵芥を前記塵芥収容箱に積み込む動作を行う積込装置と、排出板を有し、前記塵芥投入箱を上昇させた状態で前記排出板を車両後方向に移動させることで前記塵芥収容箱内に収容した塵芥を前記開口部から排出する排出装置とを備えている塵芥収集車において、前記塵芥投入箱を回動させて、前記塵芥収容箱の前記開口部を開放した状態となる第１上昇位置と、さらにこの第１上昇位置よりも上の位置であって前記突出部が前記開口部の上端よりも上方の位置となる第２上昇位置とに、上昇させる投入箱駆動手段と、この投入箱駆動手段の上昇及び下降を指令するとともに前記塵芥投入箱の上昇位置を選択する操作手段と、前記塵芥投入箱の上昇位置を検知する検知手段と、前記操作手段からの指令に基づいて前記塵芥投入箱を前記第１上昇位置と前記第２上昇位置とに選択的に上昇させるとともに、前記塵芥投入箱が前記第１上昇位置と前記第２上昇位置との間に存在していることを前記検知手段が検知した状態で前記排出板の車両後方向への移動を許容する制御装置とを備え、前記制御装置は、前記操作手段の１回目の上昇指令で前記塵芥投入箱を上昇させるとともに前記検知手段による検知に基づいて当該塵芥投入箱を前記第１上昇位置で停止させ、前記操作手段の２回目の上昇指令で前記塵芥投入箱を前記第１上昇位置から前記第２上昇位置へさらに上昇させる。
【０００７】
この構成によれば、操作手段からの指令に基づいて投入箱駆動手段が塵芥投入箱を第１上昇位置と第２上昇位置とに選択的に上昇させることができ、塵芥投入箱が第１上昇位置と第２上昇位置との間に存在していることを検知手段が検知した状態で、制御手段は排出板の車両後方向への移動を許容する。すなわち、第２上昇位置よりも低い第１上昇位置に塵芥投入箱が存在している場合であっても、制御手段は排出板を後方向へ移動させることができる。
ここに、排出する塵芥が軟質であることが予め判明している場合、作業者は操作手段を操作して塵芥投入箱の上昇位置として第１上昇位置を選択すれば、塵芥投入箱は第１上昇位置まで上昇する。この第１上昇位置において、塵芥収容箱から排出されると塵芥は崩れ落ちて塵芥投入箱の前面壁の突出部に接触しないか、突出部に接触しても塵芥は軟質であるために排出が可能となる。これにより、塵芥投入箱を第２上昇位置まで上昇させずに高さの低い第１上昇位置とすることで塵芥の排出が可能となり、塵芥投入箱を上昇させる時間の短縮が図れ、作業効率が高まる。
また、排出される塵芥が硬質であることが予め判明している場合、作業者は操作手段を操作して塵芥投入箱の上昇位置として第２上昇位置を選択すれば、塵芥投入箱は第２上昇位置まで上昇する。この第２上昇位置においては、塵芥収容箱の開口部から排出された塵芥が塵芥投入箱の前面壁の突出部に接触せず、塵芥の排出が阻害されるのを防止できる。
【０００８】
また、操作手段の１回目の上昇指令によって塵芥投入箱を上昇させ、塵芥投入箱が第１上昇位置に達したことを検知手段が検知した状態で、制御手段は塵芥投入箱を第１上昇位置に一旦停止させる。これにより、作業者は、排出板が動作可能になったことを知ることができ、排出作業を迅速に開始できる。また、塵芥投入箱が第１上昇位置に上昇することで、塵芥収容箱内の排出する塵芥が硬質であることが判明した場合、操作手段の２回目の操作によって塵芥投入箱を第２上昇位置へさらに上昇させることができる。このように、常に第１上昇位置に塵芥投入箱を停止させ、排出する塵芥が硬質である場合のみ塵芥投入箱をさらに第２上昇位置に上昇させるので、排出する塵芥が硬質であるか、軟質であるか判らない場合でも、塵芥投入箱の上昇動作に無駄が生じることを防止でき、塵芥の排出作業の時間短縮が図れる。
【発明の効果】
【０００９】
本発明の塵芥収集車によれば、第２上昇位置よりも低い第１上昇位置に塵芥投入箱が存在している場合であっても、制御手段は排出板を後方向へ移動させることができる。そして、必要な時に塵芥投入箱を第２上昇位置まで上昇させることにより、塵芥投入箱の無駄な上昇動作を省くことができる。これにより、塵芥投入箱を上昇させる時間の短縮が図れ、排出作業の効率が高まる。
【発明を実施するための最良の形態】
【００１０】
図１は、本発明の塵芥収集車の一実施の形態を示す側面図である。この塵芥収集車は、塵芥の積込動作に圧縮行程を有しているプレス式であり、塵芥の排出が押し出し式の構成とされている。
図１において、この塵芥収集車１は、後部に開口部２ａを有している塵芥収容箱２と、その後方側に連接して設けられている塵芥投入箱３とを備えている。塵芥投入箱３の後部には塵芥が投入される投入口３ａが設けられており、この投入口３ａに対応して上下にスライドして開閉される蓋３ｂが設けられている。また、塵芥投入箱３の前方下部には、塵芥を塵芥収容箱２に積み込むために当該塵芥収容箱２側に開口している開口部３ｄが形成されている。
塵芥投入箱３は、上部に設けられた支点Ｐを中心に回動可能であり、これによって塵芥収容箱２に対しての開閉動作が可能となる。塵芥投入箱３は、図の実線で示す位置で塵芥収容箱２を閉鎖し、図の二点鎖線で示す上方へ回動した位置で塵芥収容箱２の後端部を開放し、塵芥を後方へ排出することができる状態となる。
【００１１】
塵芥投入箱３内には積込装置５０が設けられている。積込装置５０は、スライダ５と、このスライダ５の下端部にピン７を介して回動自在に取り付けられている押込板８とを有している。スライダ５は、塵芥投入箱３の左右の側壁３ｃに設けられたガイドレール４に沿って移動することができる。塵芥投入箱３内の左右両側において、スライダ５の側面部材５ａと塵芥投入箱３の側壁３ｃとの間にはプッシュシリンダ９が取り付けられている。また、押込板８の側面部材８ａとスライダ５の側面部材５ａとの間にはプレスシリンダ１２が取り付けられている。
従って、図１の状態から、プレスシリンダ１２の収縮動作により押込板８を反時計回り方向に回動させ、押込板８を反転させる。次に、プッシュシリンダ９の収縮動作によりスライダ５と押込板８とを共に斜め後方に降下させ、投入口３ａから投入された塵芥を圧縮する（一次圧縮）。プレスシリンダ１２の伸長動作により押込板８を時計回り方向に回動させ二次圧縮を行う。そして、プッシュシリンダ９の伸長動作によりスライダ５と押込板８とを斜め前方に上昇させ、圧縮した塵芥を塵芥収容箱２側へ押し込む（図１の二点鎖線で示した状態から実線で示した状態へ移動させる工程）。このように、積込装置５０は順に反転工程、一次圧縮工程、二次圧縮工程及び押込工程を１サイクルとして行い、塵芥投入箱３に投入された塵芥を前記開口部３ｄを通じて塵芥収容箱２に積み込む動作を行うことができる。
【００１２】
また、前記押込工程において、押込板８を、塵芥投入箱２内の底部から塵芥収容箱３側へ向かって前方上方に移動させることにより、二次圧縮した塵芥を持ち上げて塵芥収容箱２内へ押し込んでいる。すなわち、積込装置５０は塵芥投入箱３内において押込板８を後方下部から前方上方へ斜めに移動させている。さらに、塵芥を塵芥収容箱へ押し込むために、この押込の動作の終了時に押込板８をできるだけ塵芥収容箱２側へ移動させることができるように、押込板８のストロークを大きくし、押込板８を後方下部から前方上方へ斜めに大きく移動させている。したがって、この押込板８の上部と連結されているスライダ５の上部を導入するための凹部が、塵芥投入箱３の前面壁２１に形成されている。この凹部により、塵芥投入箱３の前面壁２１の一部は塵芥収容箱２側へ大きく突出した突出部２２を有している。
【００１３】
塵芥収容箱２には排出装置５１が設けられている。排出装置５１は排出板３８とテレスコ式のディスチャージシリンダ４０とを有している。排出板３８は、塵芥収容箱２の内部に、車両前後方向に移動可能とされて設けられている。ディスチャージシリンダ４０の一端部４０ａが排出板３８に接続され、他端部４０ｂが塵芥収容箱２の車両前方向の端部に接続されている。排出板３８は、このディスチャージシリンダ４０の伸縮により、図の実線で示す位置から二点鎖線で示す位置までの範囲で移動可能とされている。塵芥が空のとき排出板３８は実線で示す位置にあり、排出板３８よりも車両後方向に塵芥を積み込むための空間Ｓが確保されている。そして、排出板３８は積込装置５０によって積み込まれる塵芥を押込板８との間で圧縮させることができる。この排出板３８を有している排出装置５１は、当該排出板３８を車両前方向に間欠移動させることで前記空間Ｓを拡大させて塵芥収容箱２における塵芥の収容量を漸増させ、かつ、塵芥投入箱２が上昇した開放状態で排出板３８を車両後方向に移動させることによって塵芥収容箱２に収容した塵芥を、塵芥収容箱２の開口部２ａから後方へ排出することができる。
【００１４】
図２は塵芥投入箱３の側面図である。塵芥収容箱２の後端上部にブラケット１８が固定されており、塵芥投入箱３の前端上部がこのブラケット１８にピン１９を介して連結し、塵芥投入箱３は回動可能に支持されている。このピン１９の中心が前記支点Ｐ（図１参照）となる。さらに、投入箱駆動手段としてのスイングシリンダ１４が塵芥収集車１の左右それぞれに設けられている。具体的な構成を車両の左側について説明すると、塵芥収容箱２の後部にスイングシリンダ（投入箱駆動手段）１４の一端部１４ａがピン２０ａにより取り付けられており、塵芥投入箱３の高さ方向中間部にスイングシリンダ１４の他端部１４ｂがピン２０ｂにより取り付けられている。スイングシリンダ１４が伸縮動作することによって、塵芥投入箱３は塵芥収容箱２に対して開閉動作する。つまり、伸張動作することで塵芥投入箱３は塵芥収容箱２の開口部２ａを開放し、短縮動作することで塵芥投入箱３は塵芥収容箱２の開口部２ａを閉鎖する（図２の状態）。
【００１５】
図３と図４と図５は塵芥収集車１の後部側面図である。塵芥投入箱３は図３の閉鎖位置からスイングシリンダ１４（図２参照）の伸張動作によって回動し、図４の第１上昇位置Ａと、図５の第２上昇位置とに上昇することができる。閉鎖位置は塵芥投入箱３が最も降下した状態である。第１上昇位置Ａは塵芥収容箱２の開口部２ａを開放した状態となる位置であり、例えば、塵芥投入箱３の前面壁２１が水平状となる位置、つまり前端面２１ａが水平となる位置である。第２上昇位置Ｂは第１上昇位置Ａよりもさらに上の位置であって塵芥投入箱３が最も上昇した位置（最上昇位置）である。
さらに、第１上昇位置Ａでは、前記突出部２２の先端部２２ａが、前面壁２１のうち低位置となっている部分となり、この先端部２２ａは塵芥収容箱２の開口部２ａの上端２ｂよりも下方の位置となる。上端２ｂと先端部２２ａとの高さの差は−ｈ１とされている。
また、第２上昇位置Ｂでは、前記突出部２２の先端部２２ａが前面壁２１のうち低位置となっている部分であり、この突出部２２の先端部２２ａは塵芥収容箱２の開口部２ａの上端２ｂよりも上方の位置となる。上端２ｂと先端部２２ａとの高さの差は＋ｈ２とされている。したがって、第１上昇位置Ａでは、塵芥収容箱２の開口部２ａから排出された塵芥が硬質であり排出後においても塵芥が崩れ落ちない場合は、塵芥が塵芥投入箱３側の突出部２２に接触する可能性があるが、第２上昇位置Ｂでは排出された塵芥は突出部２２に接触するおそれはない。
【００１６】
また、この塵芥収集車１は塵芥投入箱３の上昇位置を検知する検知手段１５をさらに備えている。図６は検知手段１５の概略構成を示す図である。検知手段１５は塵芥収容箱２と塵芥投入箱３とを連結しているピン１９の近傍に設けられている。図６の検知手段１５は近接センサ（近接スイッチ）とされており、この近接センサ１５は塵芥投入箱３に固定されている。したがって、塵芥投入箱３の回動とともに近接センサ１５は支点Ｐを中心として回動する。なお、図６は塵芥投入箱３が第１上昇位置にある状態を示している。
また、塵芥収容箱２の後端上部に固定されているブラケット１８に被検知部材（ドグ）２３が取り付けられている。被検知部材２３は円弧形状の板部材とされており、上昇する塵芥投入箱３が第１上昇位置Ａに到達すると近接センサ１５が被検知部材２３の検知を開始し、塵芥投入箱３が第２上昇位置Ｂに達すると近接センサ１５が被検知部材２３の検知を終えるように、被検知部材２３は設けられている。つまり、塵芥投入箱３が第１上昇位置Ａより下位置の間では近接センサ１５は被検知部材２３を検知していない状態であり、塵芥投入箱３が第１上昇位置Ａから第２上昇位置Ｂの間の位置で近接センサ１５は被検知部材２３を検知している状態となる。すなわち、近接センサ１５は塵芥投入箱３が第１上昇位置Ａ以上であることを検知することができる。
【００１７】
さらに、この塵芥収集車１は制御手段２６（図６）と、作業者によって操作される操作手段１７（図７）とを備えている。制御手段２６は、操作手段１７からの指令に基づいて、塵芥投入箱３を第１上昇位置Ａと第２上昇位置Ｂとに選択的に上昇させる。すなわち、制御手段２６は、スイングシリンダ１４を動作させる油圧ユニット２７（動力部）へ動作信号を出力することができ、塵芥投入箱３を第１上昇位置Ａに上昇させ、さらに第２上昇位置Ｂへと上昇させる。
また、制御手段２６は、前記近接センサ１５から塵芥投入箱３の位置情報（信号）が入力され、近接センサ１５の位置情報に基づいてスイングシリンダ１４の動作を制御することができる。具体的には、塵芥投入箱３が第１上昇位置Ａに到達したことを検知手段１５が検知すると（検知した状態で）、制御手段２６は塵芥投入箱３を自動的に一旦停止させることができる。
【００１８】
さらに、前記制御手段２６は、操作手段１７からの指令に基づいて、排出装置５１が備えている排出板１８動作用のディスチャージシリンダ４０を動作させる油圧ユニット２７（動力部）へ動作信号を出力することができる。そして、制御手段２６は、前記近接センサ１５の信号に基づいてディスチャージシリンダ２０の動作を制御している。具体的には、塵芥投入箱３が第１上昇位置Ａと第２上昇位置Ｂとの間に存在していることを検知手段１５が検知すると（検知した状態で）、制御手段２６は排出板３８の車両後方向への移動を許容する。つまり、制御手段２６は、塵芥投入箱３が第１上昇位置Ａに到達するまでは排出板３８の移動を制限し、塵芥投入箱３が第１上昇位置Ａ以上となって検知手段１５が検知状態のときにのみ排出板３８の移動を許容するように制御している。
【００１９】
図７は操作手段１７の概略図である。操作手段１７は、制御手段２６に対して、塵芥投入箱３の昇降駆動を指令する第１スイッチ３１と、排出装置５１が有している排出板３８の前後駆動を指令する第２スイッチ３２などを備えている操作ボックスとされている。つまり、これらのスイッチ３１，３２の操作による指令に基づいて制御手段２６の制御により、スイングシリンダ１４が伸縮動作して塵芥投入箱３が昇降動作したり、ディスチャージシリンダ２０が伸縮動作して排出板３８が車両後方又は車両前方へ移動したりできる。
【００２０】
制御手段２６による具体的な塵芥投入箱３及び排出板３８の動作について説明する。
作業者は、前記操作手段１７における操作によって、塵芥投入箱３の上昇位置を、第１上昇位置Ａまたは第２上昇位置Ｂとすることができる。具体的に説明すると、作業者が操作手段１７の第１スイッチ３１を操作すると、操作手段１７は１回目の上昇指令を出し、スイングシリンダ１４を伸張動作させ、図３の閉鎖位置にある塵芥投入箱３が回動して上昇する。動作を始めた塵芥投入箱３は第１上昇位置Ａまで連続的に上昇する。そして、塵芥投入箱３が第１上昇位置Ａに到達したことを検知手段１５が検知し、制御手段２６はその信号を受信する。制御手段２６は、スイングシリンダ１４を動作させる動力部（図示せず）へ停止信号を送信し、塵芥投入箱３の上昇を自動的に一旦停止させ、塵芥投入箱３を第１上昇位置Ａに保持する。この状態で、操作手段１７の第２スイッチ３２を操作すれば、制御手段２６はディスチャージシリンダ４０用の動力部へ動作信号を送信し、ディスチャージシリンダ４０を伸張動作させ、排出板３８を車両後方向へ移動させる。
【００２１】
また、制御手段２６は、操作手段１７における１回目の上昇指令の後、塵芥投入箱３を第１上昇位置Ａで一旦停止させると、第２上昇位置Ｂまでの塵芥投入箱３の上方への回動を許容する。
このように、塵芥投入箱３が第１上昇位置Ａに到達したことを近接センサ１５が検知した状態で、制御装置によって塵芥投入箱３を第１上昇位置Ａで一旦停止させることができるため、作業者は、排出板３８が動作可能になったことを確認することができ、排出装置５１による塵芥の排出作業を迅速に開始できる。
そして、制御手段２６は、操作手段１７の第１スイッチ３１からの２回目の上昇指令を入力として、塵芥投入箱３を第１上昇位置Ａから第２上昇位置Ｂへ上昇させることができる。すなわち、作業者が操作手段１７の第１スイッチ３１を再度操作することによって、塵芥投入箱３は第２上昇位置Ｂへ向かって上昇を再開する。第１上昇位置Ａから第２上昇位置Ｂまでの塵芥投入箱３の上昇は連続的に行われる。なお、塵芥投入箱３が第１上昇位置Ａから第２上昇位置Ｂへ上昇している動作の間に、操作手段１７の第２スイッチ３２を操作すれば、排出板３８を車両後方向へ移動させることができる。
【００２２】
そして、塵芥投入箱３が第２上昇位置Ｂに達したことを近接センサ１５が検知すると、その信号が制御手段２６へ送信され、制御手段２６はスイングシリンダ１４の動作を停止させ、塵芥投入箱３を第２上昇位置Ｂに自動的に停止させることができる。塵芥投入箱３が第２上昇位置Ｂにある状態で操作手段１７の第２スイッチ３２を操作すれば、排出板３８を車両後方向へ移動させることができる。
【００２３】
以上の実施の形態によれば、スイングシリンダ１４の伸張動作によって、塵芥投入箱３を、塵芥収容箱２の開口部２ａを閉鎖している下部位置から第１上昇位置Ａと第２上昇位置Ｂとの２段階の高さ位置に上昇させることができる。そして、塵芥投入箱３が第１上昇位置Ａに到達したことを検知手段１５が検知すると、制御手段２６は排出板３８を車両後方向へ移動させることが可能となる。すなわち、最上昇位置とされている第２上昇位置Ｂよりも低い第１上昇位置Ａに塵芥投入箱３が存在している場合においても、制御手段２６は排出板３８を後方向へ移動可能とする。
そして、塵芥投入箱３が第１上昇位置Ａにある状態で、塵芥収容箱２内に収容されていた塵芥が排出板３８によって当該塵芥収容箱２から押し出される。塵芥が軟質である場合、排出された塵芥はすぐに崩れ落ちて塵芥投入箱３の前面壁２１の突出部２２に接触しないか、接触しても塵芥は下方へ崩れて塵芥の排出が可能となる。したがって、塵芥が軟質である場合に、塵芥投入箱３を高さの低い第１上昇位置Ａとして塵芥の排出が可能となり、塵芥投入箱３を上昇させる時間の短縮が図れ、作業効率が高まる。また、第１上昇位置Ａでは塵芥投入箱３の前面壁２１は水平状とされているため、塵芥収容箱２の開口部２ａは開放された状態にあり、軟質の塵芥の排出を阻害するおそれはない。
【００２４】
また、排出される塵芥が硬質であり、第１上昇位置Ａにある塵芥投入箱３の前面壁２１の突出部２２に、排出途中で塵芥が接触して排出が阻害されるおそれがある場合、作業者は、操作手段１７の第１スイッチ３１を再操作することによって、塵芥投入箱３を第２上昇位置Ｂまで上昇させる。これにより、塵芥収容箱２の開口部２ａから排出された塵芥が硬質であっても、その塵芥が塵芥投入箱３の前面壁２１の突出部２２に接触せず、排出が阻害されるのを防止できる。
【００２５】
なお、本発明について塵芥収集車の積込装置５０をプレス式（図１）として説明したが、本発明の塵芥収集車は、図示しないが回転板と押込板とを有する回転板式の積込装置を備えたものであってもよい。
また、他の実施の形態として、図７を参考に説明すると、操作手段１７は第３スイッチ（図示せず）を有しており、この第３スイッチの切換操作によって、以下の第１の動作フローと、第２の動作フローとを選択できる。第１の動作フローは、操作手段１７の第１スイッチ３１が操作されると、閉鎖位置にある塵芥投入箱３は上昇して第１上昇位置Ａで自動的に停止し、再度第１スイッチ３１が操作されることで第２上昇位置Ｂへ２段階で上昇する。この第１の動作フローは前記実施の形態と同じ動作となる。第２の動作フローを選択すると、操作手段１７の第１スイッチ３１が操作されると、閉鎖位置にある塵芥投入箱３は上昇し、第１上昇位置Ａで停止することなく通過し、第２上昇位置Ｂまで上昇し停止する。
これにより、塵芥収容箱２に収容されている塵芥が軟質であり、塵芥投入箱３の前面壁２１の突出部２２によって塵芥の排出が阻害されるおそれがないことが予め判っている場合は、第３スイッチを第１の動作フロー側に選択することにより、塵芥投入箱３を最上昇位置である第２上昇位置Ｂまで上昇させる必要がなくなる。
一方、塵芥が硬質であり、塵芥投入箱３の前面壁２１の突出部２２によって塵芥の排出が阻害されるおそれがあることが予め判っている場合は、予め第３スイッチを第２の動作フロー側に選択し、塵芥投入箱３を途中で停止させることなく第２上昇位置Ｂまで一気に上昇させればよい。
【００２６】
また、前記実施の形態では、塵芥投入箱３の前面壁２１の突出部２２について、積込装置５０が有している押込板８を塵芥収容箱２側へ大きく移動させるために設けた部分として説明したが、突出部２２はこれに限らず前面壁２１における他の部位の場合であってもよい。
さらに、前記実施の形態では、塵芥投入箱３の第１上昇位置Ａを、当該塵芥投入箱３の前面壁２１が水平状（略水平）となる位置として説明したが、第１上昇位置Ａは、塵芥収容箱２内に収容した塵芥を排出するために塵芥投入箱３が塵芥収容箱２の開口部２ａを開放した状態となる上昇位置であればよく、最上昇位置である第２上昇位置Ｂよりも低い所定位置とすることができる。例えば、塵芥投入箱３の前面壁２１が車両後方へ向かって下傾した開度となる位置であって、軟質の塵芥の排出の際に塵芥投入箱３の前面壁２１が当該排出を阻害することがない上昇位置を、第１上昇位置Ａとしてもよい。
さらに、塵芥収容箱２から塵芥を排出する際に、建屋（塵芥焼却場）の天井が低くても、塵芥投入箱３が第１上昇位置Ａにある状態では、塵芥投入箱３の後面がその天井に当ることを防ぐことができる。つまり、塵芥投入箱３を上昇させた場合にその後面が建屋の天井に当らない上昇位置を第１上昇位置Ａと設定してもよい。
【図面の簡単な説明】
【００２７】
【図１】本発明の塵芥収集車の一実施の形態を示す側面図である。
【図２】塵芥投入箱の側面図である。
【図３】塵芥収集車の後部側面図であり、塵芥投入箱が閉鎖位置にある状態を示す。
【図４】塵芥収集車の後部側面図であり、塵芥投入箱が第１上昇位置にある状態を示す。
【図５】塵芥収集車の後部側面図であり、塵芥投入箱が第２上昇位置にある状態を示す。
【図６】検知手段の概略構成を示す図である。
【図７】操作手段の概略図である。
【符号の説明】
【００２８】
１    塵芥収集車
２    塵芥収容箱
２ａ  開口部
２ｂ  上端
３    塵芥投入箱
１４  スイングシリンダ（投入箱駆動手段）
１５  近接センサ（検知手段）
１７  操作手段
２１  前面壁
２２  突出部
２６  制御手段
３８  排出板
５０  積込装置
５１  排出装置
Ａ  第１上昇位置
Ｂ  第２上昇位置
【図１】
0004694940.tif 000002
【図２】
0004694940.tif 000003
【図３】
0004694940.tif 000004
【図４】
0004694940.tif 000005
【図５】
0004694940.tif 000006
【図６】
0004694940.tif 000007
【図７】
0004694940.tif 000008